(57)【特許請求の範囲】
【請求項１】
飲料を購入する者が持ち込む蓋付きコップに飲料を自動的に充填する飲料自動販売機であって、前記蓋および前記コップを個別に収容する収容体と、該収容体を反転させる反転手段と、前記蓋および前記コップを消毒する消毒機と、前記蓋および前記コップを洗浄する洗浄機と、前記コップに飲料を充填する飲料充填機と、前記消毒機からの消毒液および前記洗浄機からの洗浄液を噴射するノズルを有し、且つ前記反転手段、前記消毒機、前記洗浄機、前記飲料充填機および前記ノズルをそれぞれ制御する飲料提供制御部を備えている、飲料自動販売機。
【請求項２】
更に、コップのサイズを検出するコップサイズ検出部と、検出されたコップサイズから該コップの容量を算出する演算処理部を有し、飲料提供制御部が前記コップサイズ検出部および演算処理部の制御をも行う、請求項１記載の飲料自動販売機。
【請求項３】
更に、洗浄後の蓋およびコップを乾燥する乾燥機と、該乾燥機からの熱風の噴出ダクトを備え、飲料提供制御部が前記乾燥機の制御をも行う、請求項１または請求項２記載の飲料自動販売機。
【請求項４】
更に、ＩＣチップのリーダー／ライターと、インターネット等のネットワークによる情報の送受信を行う通信機能部を有し、飲料提供制御部が前記ＩＣチップのリーダー／ライターによる情報処理をも行う、請求項１〜請求項３のうちのいずれか一項記載の飲料自動販売機。
【請求項５】
請求項１記載の飲料自動販売機を用いた飲料提供方法であって、飲料購入者による蓋およびコップの挿入を検知するステップと、飲料購入者による飲料の選定を検知するステップと、飲料購入者が持ち込んだ前記コップを反転させるステップと、反転させたコップと蓋に、消毒機から消毒液を噴射してコップおよび蓋を消毒するステップと、消毒後のコップと蓋に、洗浄機から洗浄水を噴射してコップおよび蓋に付着した消毒液を洗い流すステップと、洗い流し後のコップを正転させるステップと、前記飲料購入者による飲料の選定に基づいて、飲料充填機からコップに飲料を充填するステップを有する、飲料自動提供方法。
【請求項６】
請求項３記載の飲料自動販売機を用いた飲料提供方法であって、蓋およびコップの洗浄後に、これら蓋およびコップの乾燥機による乾燥を行う、請求項５記載の飲料自動提供方法。
【請求項７】
請求項４記載の飲料自動販売機を用いた飲料提供方法であって、コップがＩＣチップを有し、飲料提供の際に、飲料自動販売機のＩＣチップのリーダー／ライターで飲料提供制御部での飲料提供に関する情報処理を行う、請求項５または請求項６記載の飲料自動提供方法。
【請求項８】
請求項４記載の飲料自動販売機を用いた飲料自動提供システムであって、前記複数の飲料自動販売機と、ＩＣチップが付いた蓋付きコップと、インターネット等のネットワークを介して前記飲料自動販売機と通信接続を行う通信機能部を備えた飲料自動提供用クラウドサーバ群を備えており、前記蓋付きコップのＩＣチップが少なくとも該コップの所有者を識別する識別情報と該コップによる過去の飲料購入履歴が記憶されたものであり、前記飲料自動提供用クラウドサーバ群は、少なくとも前記蓋付きコップの所有者の識別情報と飲料購入履歴が対となって蓄積されている飲料自動提供用データベースのサーバを有する、飲料自動提供システム。
【請求項９】
更に、蓋付きコップのＩＣチップに発信機能が付加され、飲料自動提供用データベースのサーバが、飲料購入履歴に対応する飲料広告情報を蓄積したものであり、飲料自動販売機が、更にビーコン機能部と、飲料に関する映像および音声を再生するモニタを有し、前記ビーコン機能部によって、飲料自動販売機に接近した前記蓋付きコップを所有する飲料購入者に対して、飲料提供制御部を介して前記飲料購入履歴に基づく飲料広告情報を前記モニタに表示するようにした、請求項８記載の飲料自動提供システム。
【請求項１０】
更に、前記蓋付きコップを所有する飲料購入者の携帯端末を備え、前記飲料自動提供用クラウドサーバ群が、その通信機能部を介して前記飲料購入者の携帯端末とも通信接続するものであり、前記飲料自動提供用データベースのサーバが個々の飲料自動販売機の、識別情報、販売されている飲料情報および位置情報を記憶したものであり、前記飲料自動提供用クラウドサーバ群が前記蓋付きコップの所有者の携帯端末からの要求に基づいて、前記飲料購入者が購入しようとしている飲料が販売されている飲料自動販売機を前記飲料自動提供用データベースのサーバから抽出する飲料自動販売機検索部を有する、請求項８または請求項９記載の飲料自動提供システム。
【発明の詳細な説明】
【技術分野】
【０００１】
本発明は、飲料自動販売機およびこれを用いた飲料自動提供方法、並びに飲料自動提供システムに関する。
【背景技術】
【０００２】
従来、飲料提供システムとしては、飲料容器の撮像装置、判定部および制御部等を備え、前記撮像装置が飲料用容器の配置場所を撮影して画像を生成し、前記判定部が、前記飲料用容器が置かれている配置場所の画像である対象画像と飲料用容器が置かれていない配置場所の画像である参照画像の比較に基づいて対象画像に写る飲料用容器が透明か不透明かを判定し、前記制御部が、対象画像に写る飲料用容器が透明か不透明かで異なる制御を実行するようにしたものが知られている。
【０００３】
また、本部サーバから送信される飲料データを、通信手段を介して受信することにより、または本部サーバから営業所サーバに送信された飲料データを外部のメモリに格納し、飲料データの通信接続部に接続したメモリから前記飲料データを読み取ることによってのみ記憶部に記憶された飲料データを新たな飲料データに書き換え可能に構成したものが知られており、このような構成によって、前記飲料データが自動販売機の管理者側（オペレータ等）によって任意に変更されることがなく、常に既定の飲料データに基づいて飲料を生成することができるようになされていた。
【先行技術文献】
【特許文献】
【０００４】
【特許文献１】特開２０１９−１３１２０６号公報
【特許文献２】特開２００５−３３９２１０号公報
【発明の概要】
【発明が解決しようとする課題】
【０００５】
従来から、ＰＥＴボトルや缶容器に入れられた飲料を販売する自動販売機が種々の場所に設置されているが、該自動販売機から飲料を購入して、飲用した後の空のＰＥＴボトルや缶容器が所定の場所に廃棄されずに、街中や道路上等の種々の場所に無造作に廃棄される場合が多いのが実情である。また、ＰＥＴボトルやアルミ缶容器については、一部でリサイクルされているものの、資源化が十分に行われていないのが実情である。また、近年、特に前記ＰＥＴボトルについては、省資源化の観点から極薄状のものが多く使用される状況になっているが、該極薄状のＰＥＴボトルは、これを持って人が飲用する際に、該ＰＥＴボトルが大きく凹んで、中の飲料が不意に飲み口から溢れ出易く、また極薄状のＰＥＴボトルは、不安定に凹むことから、飲用し難いという問題もあった。
【０００６】
前述した従来技術のうち、前者は単に飲料容器が透明か不透明かによって、飲料の提供操作を変更するものであり、また後者は、自動販売機での飲料データの既定化を目的とするものであり、いずれも前述した自動販売機で販売されている飲料容器をめぐる問題を根本的に解決できないものであった。
【０００７】
本発明の目的は、自動販売機で販売される飲料容器に関する資源問題と飲用の容易性を両立することができる飲料自動販売機およびこれを用いた飲料自動提供方法、並びに飲料自動提供システムを提供することにある。
【課題を解決するための手段】
【０００８】
請求項１記載の本発明は、飲料を購入する者が持ち込む蓋付きコップに飲料を自動的に充填する飲料自動販売機であって、前記蓋および前記コップを個別に収容する収容体と、該収容体を反転させる反転手段と、前記蓋および前記コップを消毒する消毒機と、前記蓋および前記コップを洗浄する洗浄機と、前記コップに飲料を充填する飲料充填機と、前記消毒機からの消毒液および前記洗浄機からの洗浄液を噴射するノズルを有し、且つ前記反転手段、前記消毒機、前記洗浄機、前記飲料充填機および前記ノズルをそれぞれ制御する飲料提供制御部を備えている飲料自動販売機である。
【０００９】
請求項２記載の本発明は、前記請求項１記載の飲料自動販売機について、更に、コップのサイズを検出するコップサイズ検出部と、検出されたコップサイズから該コップの容量を算出する演算処理部を有し、飲料提供制御部が前記コップサイズ検出部および演算処理部の制御をも行うことを特徴とする。また、演算処理部は前記飲料提供制御部と一体化される場合もある。
なお、前記請求項１記載の飲料自動販売機において、予め該自動販売機で使用できるコップの容量サイズを、例えば「３５０ｍｍ以上」といった所定の容量サイズに規格化しておき、自動販売機では「３５０ｍｍ以下」の飲料充填とすることで、前述したコップサイズ検出部やコップ容量の演算処理部は省略され得る。
【００１０】
また、前記コップサイズ検出部の具体例としては、コップが有底円筒状である場合には、該コップの直径と高さを検出して前記演算処理部でコップの直径と高さからコップ容量を算出する。また、コップが有底円筒状でない場合には、コップサイズ検出部がコップ外形のエッジ検出を行い、該エッジ検出に基づいて演算処理部でコップ容量を算出することもできる。
【００１１】
請求項３記載の本発明は、前記請求項１または請求項２記載の飲料自動販売機について、更に、洗浄後の蓋およびコップを乾燥する乾燥機と、該乾燥機からの熱風の噴出ダクトを備え、飲料提供制御部が前記乾燥機の制御をも行うものである。
【００１２】
請求項４記載の本発明は、前記請求項１〜請求項３のうちのいずれか一項記載の飲料自動販売機について、更に、ＩＣチップのリーダー／ライターと、インターネット等のネットワークによる情報の送受信を行う通信機能部を有し、飲料提供制御部が前記ＩＣチップのリーダー／ライターによる情報処理をも行うことを特徴とする。
【００１３】
請求項５記載の本発明は、前記請求項１記載の飲料自動販売機を用いた飲料提供方法であって、飲料購入者による蓋およびコップの挿入を検知するステップと、飲料購入者による飲料の選定を検知するステップと、飲料購入者が持ち込んだ前記コップを反転させるステップと、反転させたコップと蓋に、消毒機から消毒液を噴射してコップおよび蓋を消毒するステップと、消毒後のコップと蓋に、洗浄機から洗浄水を噴射してコップおよび蓋に付着した消毒液を洗い流すステップと、洗い流し後のコップを正転させるステップと、前記飲料購入者による飲料の選定に基づいて、飲料充填機からコップに飲料を充填するステップを有することを特徴とする。
【００１４】
請求項６記載の本発明は、前記請求項３記載の飲料自動販売機を用いた請求項５記載の飲料自動提供方法であって、蓋およびコップの洗浄後に、これら蓋およびコップの乾燥機による乾燥を行うことを特徴とする。
【００１５】
請求項７記載の本発明は、前記請求項４記載の飲料自動販売機を用いた請求項５または請求項６記載の飲料自動提供方法であって、コップがＩＣチップを有し、飲料提供の際に、飲料自動販売機のＩＣチップのリーダー／ライターで飲料提供制御部での飲料提供に関する情報処理を行うことを特徴とする。
【００１６】
請求項８記載の本発明は、前記請求項４記載の飲料自動販売機を用いた飲料自動提供システムであって、前記複数の飲料自動販売機と、ＩＣチップが付いた蓋付きコップと、インターネット等のネットワークを介して前記飲料自動販売機と通信接続を行う通信機能部を備えた飲料自動提供用クラウドサーバ群を備えており、前記蓋付きコップのＩＣチップが少なくとも該コップの所有者を識別する識別情報と該コップによる過去の飲料購入履歴が記憶されたものであり、前記飲料自動提供用クラウドサーバ群は、少なくとも前記蓋付きコップの所有者の識別情報と飲料購入履歴が対となって蓄積されている飲料自動提供用データベースのサーバを有するものである。
【００１７】
請求項９記載の本発明は、前記請求項８記載の飲料自動提供システムについて、更に、蓋付きコップのＩＣチップに発信機能が付加され、飲料自動提供用データベースのサーバが、飲料購入履歴に対応する飲料広告情報を蓄積したものであり、飲料自動販売機が、更にビーコン機能部と、飲料に関する映像および音声を再生するモニタを有し、前記ビーコン機能部によって、飲料自動販売機に接近した前記蓋付きコップを所有する飲料購入者に対して、飲料提供制御部を介して前記飲料購入履歴に基づく飲料広告情報を前記モニタに表示するようにしたものである。
【００１８】
請求項１０記載の本発明は、前記請求項８または請求項９記載の飲料自動提供システムについて、更に、前記蓋付きコップを所有する飲料購入者の携帯端末を備え、前記飲料自動提供用クラウドサーバ群が、その通信機能部を介して前記飲料購入者の携帯端末とも通信接続するものであり、前記飲料自動提供用データベースのサーバが個々の飲料自動販売機の、識別情報、販売されている飲料情報および位置情報を記憶したものであり、前記飲料自動提供用クラウドサーバ群が前記蓋付きコップの所有者の携帯端末からの要求に基づいて、前記飲料購入者が購入しようとしている飲料が販売されている飲料自動販売機を前記飲料自動提供用データベースのサーバから抽出する飲料自動販売機検索部を有することを特徴とする。
【発明の効果】
【００１９】
本発明の飲料自動販売機は、飲料を購入する者が持ち込む蓋付きコップに飲料を自動的に充填する飲料自動販売機であって、前記蓋および前記コップを個別に収容する収容体と、該収容体を反転させる反転手段と、前記蓋および前記コップを消毒する消毒機と、前記蓋および前記コップを洗浄する洗浄機と、前記コップに飲料を充填する飲料充填機と、前記消毒機および前記洗浄機からの消毒液および洗浄液を噴射するノズルと、少なくとも前記コップの直径と高さや外形を検出するコップサイズ検出部と、検出されたコップサイズから該コップの容量を算出する演算処理部を有し、且つ前記反転手段、前記消毒機、前記洗浄機、前記飲料充填機および前記コップサイズ検出部をそれぞれ制御する飲料提供制御部を有するものであるため、従前の飲料自動販売機のように、ＰＥＴボトルやアルミ缶、或いは紙コップ等の容器を一切使用しないため、資源の有効利用が図られ、また容器の廃棄に伴う環境問題も解消され、また飲料の購入者は使い慣れた自己の蓋付きコップを使って飲料の提供を受けることができる等、種々の効果が得られる。
【００２０】
また、コップがＩＣチップを有し、飲料自動販売機がＩＣチップのリーダー／ライターを有し、該飲料自動販売機がインターネット等の通信ネットワークを介して飲料自動提供用クラウドサーバ群と接続された本発明に係る飲料自動提供システムによれば、飲料の購入者の購入履歴管理や飲料自動販売機による飲料提供のマーケティングが円滑に実行され得る。
【図面の簡単な説明】
【００２１】
【図１】本発明の実施形態に係る飲料自動提供システムの概要を示す全体図である。
【図２】実施形態で使用する蓋付きコップの正面図である。
【図３】実施形態における飲料自動提供用サーバ群の構成を示す機能ブロック図である。
【図４】実施形態における飲料自動提供用データベースサーバの構成を示す機能ブロック図である。
【図５】飲料自動提供用クラウドサーバ群における処理の一例を示すフローチャートであって、（ａ）が飲購入時の処理、（ｂ）が飲料自動販売機情報の処理、（ｃ）が飲料調合情報の処理、をそれぞれ示す。
【図６】実施形態に係る飲料自動販売機の正面図である。
【図７】同実施形態の飲料自動販売機におけるボックス状収容体およびその周辺部分の拡大図である。
【図８】図７の飲料自動販売機におけるボックス状収容体の反転状態を示した拡大図である。
【図９】実施形態に係るボックス状収容体の反転手段の構成を示す概要図である。
【図１０】飲料自動販売機における処理の一例を示すフローチャートである。
【図１１】コップの外形のエッジ検出の概要を示す図である。
【図１２】コップの外形のエッジ検出によるコップ容量の算出手順を示すフローチャートである。
【図１３】実施形態に係る飲料自動販売機の機能ブロックである。
【発明を実施するための形態】
【００２２】
次に、本発明の実施形態を図面にしたがって説明するが、本発明はかかる実施形態に限定されるものではない。
【００２３】
図１に示すように、先ず、本発明に係る飲料自動提供システムの概要について説明すると、該システムは、複数の飲料自動販売機（０００２）と、飲料を購入する者が所有する、ＩＣチップが付いた蓋付きコップ（０００３）およびスマートフォン等の携帯端末（０００４）と、インターネット等のネットワークを介して前記飲料自動販売機（０００２）および前記携帯端末（０００４）と通信を行う飲料自動提供用クラウドサーバ群（０００１）等を有する。
【００２４】
図２に示すように、前記蓋付きコップ（０００３）は、コップ（２００１）と、蓋（２００２）と、ＩＣチップ（２００３）を有し、該ＩＣチップ（２００３）が少なくとも蓋付きコップ（０００３）の所有者を識別する識別情報と該蓋付きコップ（０００３）による過去の飲料購入履歴が記憶されたものである。
【００２５】
図３に示すように、前記飲料自動提供用サーバ群（０００１）は、前記飲料自動販売機（０００２）および前記携帯端末（０００４）との通信を行う通信機能部（３００１）と、少なくとも前記蓋付きコップ（０００３）の所有者の識別情報と飲料購入履歴が対となって蓄積され、且つ該購入履歴に対応する飲料広告情報が蓄積された飲料自動提供用データベースサーバ（３００２）と、該データベースサーバ（３００２）から必要な情報を検索取得する情報検索部（３００３）と、前記携帯端末（０００４）からの要求受付部（３００４）と、種々の制御を実行する制御部（３００５）を有しており、更に、飲料自動提供用サーバ群（０００１）は、必要に応じて、前記携帯端末（０００４）に対して飲料に関するメールを送信するメールサーバ（３００６）と、前記携帯端末（０００４）に対して、飲料提供に係るアプリケーションを提供するアプリサーバ（３００７）と、飲料自動販売機（０００２）での販売管理を行うＰＯＳサーバ（３００８）等を有する。
【００２６】
前記通信機能部（３００１）は、モデム、ドライバ、通信モジュール等により実現される。
【００２７】
図４に示すように、飲料自動提供用データベースサーバ（３００２）は、少なくとも飲料自動販売機（０００２）で販売される飲料情報のデータベース（４００１）と、蓋付きコップ（０００３）の所有者の識別情報と飲料購入履歴が対となって蓄積された飲料購入履歴データベース（４００２）と、該データベースにおける購入履歴に対応する飲料広告情報が蓄積された飲料広告情報データベース（４００３）と、各飲料自動販売機（０００２）の識別番号と販売されている飲料情報と飲料自動販売機の位置情報が対で蓄積された飲料自動販売機情報データベース（４００４）等を有する他、更に、必要に応じて、飲料の調合情報が蓄積された飲料調合情報データベース（４００５）等を有する。該飲料調合情報データベース（４００５）は、飲料自動販売機（０００２）で販売される飲料が特殊な配合飲料である場合に、その情報が蓄積されたものであり、該調合情報に基づいて飲料自動販売機（０００２）で飲料がコップ（０００３）に充填され得る。
【００２８】
前記情報検索部（３００３）は、前記飲料自動提供用データベースサーバ（３００２）に蓄積されている種々の情報を検索抽出する機能を有するものであり、通常、ソフトウエアで実現される。情報検索部（３００３）は、例えば、飲料購入者の携帯端末（０００４）から所望の飲料が販売されている飲料自動販売機（０００２）の情報要求があった場合に、前記飲料自動提供用データベースサーバ（３００２）における飲料自動販売機情報データベース（４００４）に対して、該当する飲料自動販売機（０００２）の位置情報を検索取得するものである。
【００２９】
要求受付部（３００４）は、前述した通り、飲料の購入者の携帯端末（０００４）からの種々の要求を受け付ける機能を有するものであり、通常、ソフトウエア、通信モジュール等によって実現される。そして、要求受付部（３００４）は、例えば飲料購入者の携帯端末（０００４）からの前述した飲料自動販売機の位置情報の要求を受け付けるものである。
【００３０】
制御部（３００５）は、当該飲料自動提供用サーバ群（０００１）内における種々の処理制御を行うものであり、ＣＰＵで実現される。また、該制御部（３００５）は当該飲料自動提供用サーバ群（０００１）における他の機能部と協働する場合もある。
【００３１】
次に、図５（ａ）〜（ｃ）に示すように、前記飲料自動提供用クラウドサーバ群（０００１）における処理の一例について説明すると、前記飲料自動販売機（０００２）からの飲料購入者による飲料購入履歴の送信を検知し（Ｓ５００１）と、飲料購入履歴の送信があった場合に該飲料購入履歴を記憶蓄積する（Ｓ５００２）。また、飲料購入者の携帯端末（０００４）から、特定の飲料を販売している飲料自動販売機（０００２）の情報要求を検知し（Ｓ５００３）、要求があった場合に、該当する飲料自動販売機（０００２）とその位置情報を検索し（Ｓ５００４）、該当する飲料自動販売機（０００２）とその位置情報を携帯端末（０００４）に送信する（Ｓ５００５）。また、飲料自動提供用クラウドサーバ群（０００１）では、飲料自動販売機（０００２）からの飲料購入者独自の飲料調合情報の要求を検知し（Ｓ５００６）、該要求があった場合に、該当する飲料購入者独自の飲料調合情報を検索し（Ｓ５００７）、該当する飲料調合情報を携帯端末（０００４）へ送信する（Ｓ５００８）。また、前記飲料購入履歴や飲料調合情報等は、コップ（０００２）のＩＣチップ（２００３）にも記憶される。
【００３２】
図６〜図９に示すように、前記飲料自動販売機（０００２）の具体的な構成について説明すると、飲料自動販売機（０００２）は、飲料を購入する者が持ち込む蓋（２００２）付きのコップ（２００１）に飲料を自動的に充填するものであって、前記蓋（２００２）および前記コップ（２００１）を個別に収容するボックス状の収容体２と、該収容体２を反転させる反転手段３と、前記蓋（２００２）および前記コップ（２００１）を消毒する消毒機４と、前記蓋（２００２）および前記コップ（２００１）を洗浄する洗浄機５と、前記コップ（２００２）に飲料を充填する飲料充填機６と、後述するコップサイズ検出器７および演算処理部８、乾燥機９、前記消毒機４および前記洗浄機５からの消毒液および洗浄液を噴射するノズル１０を有する。  
【００３３】
なお、図中２ａは前記ボックス状の収容体２の隔壁、６ａは前記飲料充填機６の供給ノズル、９ａは前記乾燥機９のダクトをそれぞれ示す。
【００３４】
また更に、本実施形態の飲料自動販売機（０００２）は、ビーコン機能部１３と、飲料等に関する映像および音声を再生するモニタ１４を有し、前記ビーコン機能部１３によって、飲料自動販売機１に接近した前記蓋（２００２）付きコップ（２００１）の所有者（飲料購入者）に対して、自動的に飲料広告等が前記モニタ１４に表示されるようになされている。
【００３５】
また、本実施形態での反転手段３は、前記ボックス状収容体２に一体に連結された回転シャフト３ａと、該回転シャフト３ａを回動させるモータ３ｂと、該モータ３ｂを駆動させるコントロールボックス３ｃ等で構成される。
【００３６】
更に、本実施形態に係る飲料自動販売機１は、ＩＣチップのリーダー／ライター１１と、インターネット等による情報の送受信を行う通信機能部１２を有し、後述する飲料提供制御部（１３０１）が前記ＩＣチップのリーダー／ライター１１による情報処理をも行うものである。
【００３７】
図１３に示すように、飲料自動販売機（０００２）は、飲料提供制御部（１３０１）を中心として、前記反転手段３、消毒機４、洗浄機５、飲料充填機６、後述するコップサイズ検出部７および演算処理部８、乾燥機９、ノズル１０およびＩＣチップのリーダー／ライター１１等の制御が実行される。また、飲料自動販売機（０００２）は、必要に応じて、ＨＤＤやＲＯＭ等の記録媒体（１３０２）を付設する場合もある。該記録媒体には、例えば充填する飲料の量等が記憶されている。前記演算処理部８は前記飲料提供制御部（１３０１）の機能に一体に組み込まれる場合もある。
【００３８】
前記飲料提供制御部（１３０１）は、通常、ソフトウエアで実現されるが、集積回路で構成しても良い。具体的には、マイコン制御のコントロールボックスを設置することで実現される。
【００３９】
前記ノズル１０は、本実施形態では、コップ（２００１）用のノズル１０Ｂと蓋（２００２）用のノズル１０Ａの二股状となされている。
【００４０】
飲料自動販売機（０００２）における前記飲料充填機６による飲料の充填は、通常、予め規格化された一定容量（例えば３５０ｍｍ以上）のコップ（２００１）を設定して、その規格化された容量を超えない範囲（例：３５０ｍｍ以下）で自動的に充填される。
【００４１】
また、飲料の充填は各コップ（２００１）ごとに容量サイズを算出して行っても良い。例えば、コップ（２００１）が有底円筒状である場合には、画像処理を行うコップサイズ検出部７でその直径と高さを検出し、その検出値に基づいて演算処理部８で容量を算出するようにしても良い。
【００４２】
更に、例えば前記コップサイズ検出部７で取得したコップ画像をメモリで記憶して、ラブラシアンフィルタで処理する等して図１１および図１２に示すように、コップ（２００１）の外形に基づくエッジ検出によってコップ容量を計測する場合もある。すなわち、カメラ機能やラブラシアンフィルタ等を具備したコップサイズ検出部７でコップ（２００１）を撮影し（Ｓ１２０１）、その画像データを二次微分して（Ｓ１２０２）、エッジを抽出し（Ｓ１２０３）、抽出したエッジを二値化し（Ｓ１２０４）、その結果に基づいて最終的に前記演算処理部８を介してコップ（２００１）の容量を算出する（Ｓ１２０５）。
【００４３】
次に、図１０に示すように、前述した構成の飲料自動販売機１における処理の一例について説明すると、先ず、飲料購入者が前記ボックス状収容体２へ蓋（２００２）とコップ（２００１）を入れたことを検知し（Ｓ９００１）、蓋（２００２）とコップ（２００１）が入れられた後に、飲料購入者による飲料選定を検知し（Ｓ９００２）、その後、ボックス状収容体２を反転させることで、その内部の蓋（２００２）とコップ（２００１）を反転させ（Ｓ９００３）、その後、ボックス状収容体２内で前記反転させたコップ（２００１）と蓋（２００２）に、消毒機４からノズル１０を介して消毒液を噴射してコップ（２００１）および蓋（２００２）を消毒し（Ｓ９００４）、該消毒後のコップ（２００１）と蓋（２００２）に、ノズル１０を介して洗浄機５から洗浄水を噴射してコップおよび蓋に付着した消毒液を洗い流し（Ｓ９００５）、その後、コップ（２００１）と蓋（２００２）に対して前記乾燥機９のダクト９ａから熱風を噴出させて乾燥し（Ｓ９００６）、その後、ボックス状収容体２を正転させてコップ（２００１）と蓋（２００２）を元の状態に戻し（Ｓ９００７）、その後、前記飲料選定に基づいて前記飲料充填機６からコップ（２００１）に飲料を充填する（Ｓ９００８）。
【００４４】
また、前記飲料自動販売機１における処理において、コップ（２００１）を規格化しない場合には飲料充填（Ｓ９００８）の前に前述したコップ容量の算出を行う場合もある。
【００４５】
なお、前記飲料選定（Ｓ９００２）および飲料充填（Ｓ９００８）において、前記飲料自動提供用データベース（３００２）に蓄積されている飲料調合情報データベース（４００５）における飲料調合情報に基づいて飲料の提供が行われる場合もある。
【００４６】
また、前記飲料自動販売機（０００２）における処理において、前記飲料提供の際に、飲料自動販売機１のＩＣチップのリーダー／ライター１１で飲料提供した飲料の購入履歴がコップ（２００１）のＩＣチップ（２００３）に書き込まれると共に、該購入履歴が前記飲料自動提供用クラウドサーバ群（０００１）に送信される。
【産業上の利用可能性】
【００４７】
本発明によれば、自動販売機による飲料提供において、ＰＥＴボトルやアルミ缶等の飲料容器や紙コップ等の使用が一切不要となり、飲料購入者は自己の蓋付きコップで所望の飲料の提供を受け得るため、飲料自動販売機の分野の幅広い利用が期待できる。
【符号の説明】
【００４８】
（０００１）  クラウドサーバ群
（０００２）  飲料自動販売機
（０００３）  蓋付きコップ
（０００４）  携帯端末
２  ボックス状の収容体
３  反転手段
４  消毒機
５  洗浄機
６  飲料充填機
１０  ノズル
【要約】
【課題】  飲料自動販売機で販売される飲料容器に関する資源問題および廃棄問題、並びに飲用の容易性を改善できるようにする。
【解決手段】  複数の飲料自動販売機（０００２）と、飲料を購入する者が所有する、ＩＣチップが付いた蓋付きコップ（０００３）およびスマートフォン等の携帯端末（０００４）と、インターネット等のネットワークを介して前記飲料自動販売機（０００２）および前記携帯端末（０００４）と通信を行う飲料自動提供用クラウドサーバ群（０００１）等を有し、前記蓋付きコップ（０００３）は、ＩＣチップ（２００３）備え、該ＩＣチップ（２００３）が少なくとも蓋付きコップ（０００３）の所有者を識別する識別情報と該蓋付きコップ（０００３）による過去の飲料購入履歴が記憶されたものである。
【選択図】  図１【図１】
0006905777.tif 000002
【図２】
0006905777.tif 000003
【図３】
0006905777.tif 000004
【図４】
0006905777.tif 000005
【図５】
0006905777.tif 000006
【図６】
0006905777.tif 000007
【図７】
0006905777.tif 000008
【図８】
0006905777.tif 000009
【図９】
0006905777.tif 000010
【図１０】
0006905777.tif 000011
【図１１】
0006905777.tif 000012
【図１２】
0006905777.tif 000013
【図１３】
0006905777.tif 000014